【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
投影ターゲットを、前記ターゲットに関連付けられた情報に基づいて、1つまたは複数のフレーム内のオブジェクトを認識するためのオブジェクト認識を使用することによって決定するステップと、
前記投影ターゲットの1つまたは複数の範囲を決定するステップと、
1つまたは複数のプロセッサによって、コンテンツが投影されることになるコンテンツエリアと、コンテンツが投影されないことになる空きエリアとを決定するステップであって、前記コンテンツエリアおよび前記空きエリアは、前記1つまたは複数の範囲に基づいて決定され、前記コンテンツエリアはさらに、前記オブジェクトに関連付けられた指定コンテンツエリアに基づいて決定されるステップと、
前記1つまたは複数のプロセッサによって、スケーリングファクタを決定するステップと、
前記スケーリングファクタに基づいて、前記コンテンツエリア内に投影するためのコンテンツを生成するステップと、
前記空きエリアを生成するステップと
を含む方法。
【請求項２】
前記投影ターゲットの1つまたは複数の範囲を決定するステップが、
前記投影ターゲットの1つまたは複数の画像を受信するステップと、
前記1つまたは複数の画像から、前記投影ターゲットの形状を決定するステップと
を含む、請求項1に記載の方法。
【請求項３】
前記投影ターゲットの前記決定された形状に基づいて、前記投影ターゲットのアウトラインを決定するステップをさらに含む、請求項2に記載の方法。
【請求項４】
前記1つまたは複数の画像に基づいて、前記投影ターゲットを含むエリアの深度マップを決定するステップをさらに含む、請求項2に記載の方法。
【請求項５】
スケーリングファクタを決定するステップが、前記決定された深度マップに基づいて、前記投影ターゲットまでの距離を決定するステップを含む、請求項4に記載の方法。
【請求項６】
前記投影ターゲットの形状を決定するステップが、前記決定された深度マップ内の背景から前記投影ターゲットをセグメント化するステップを含む、請求項4に記載の方法。
【請求項７】
前記空きエリアを生成するステップが、前記投影ターゲットの前記決定された形状に基づいて、仮想マスクを作成するステップを含む、請求項2に記載の方法。
【請求項８】
プロジェクタによって、前記決定されたコンテンツエリア内で前記投影ターゲット上で前記生成されたコンテンツを投影するステップをさらに含む、請求項1に記載の方法。
【請求項９】
プロジェクタによって、前記生成された空きエリアを投影するステップをさらに含む、請求項1に記載の方法。
【請求項１０】
前記生成された空きエリアを投影するステップが、暗いピクセルを投影するステップを含む、請求項9に記載の方法。
【請求項１１】
前記投影ターゲットを追跡するステップと、
前記追跡するステップに基づいて、前記決定されたコンテンツエリアと前記決定された空きエリアとを調整するステップと
をさらに含む、請求項1に記載の方法。
【請求項１２】
ジェスチャを検出するステップと、
前記検出されたジェスチャに基づいて、前記空きエリアがエリアを有していないと決定するステップと
をさらに含む、請求項1に記載の方法。
【請求項１３】
ジェスチャを検出するステップと、
前記検出されたジェスチャに基づいて、第2の投影ターゲットを決定するステップと、
前記第2の投影ターゲットの1つまたは複数の範囲を決定するステップと、
前記第2の投影ターゲットの前記決定された1つまたは複数の範囲に基づいて、第2のコンテンツエリアと第2の空きエリアとを決定するステップと、
前記第2の投影ターゲットまでの距離に基づいて、第2のスケーリングファクタを決定するステップと、
投影デバイスによって、前記決定されたコンテンツエリア内で前記第2の投影ターゲット上にコンテンツを投影するステップと
をさらに含む、請求項1に記載の方法。
【請求項１４】
投影ターゲットの1つまたは複数の投影パラメータに基づいて、コンテンツエリアと空きエリアとを投影するように構成されたプロジェクタであって、前記投影ターゲットは、前記ターゲットに関連付けられた情報に基づいて、1つまたは複数のフレーム内のオブジェクトを認識するためのオブジェクト認識を使用することによって決定され、前記コンテンツエリアはさらに、前記オブジェクトに関連付けられた指定コンテンツエリアに基づいて決定される、プロジェクタと、
前記投影ターゲットを含む視野の1つまたは複数の画像をキャプチャするように構成されたカメラと、
前記プロジェクタおよび前記カメラに結合された、1つまたは複数のプロセッサであって、前記1つまたは複数の投影パラメータを決定するように構成された、1つまたは複数のプロセッサと、
前記1つまたは複数のプロセッサに結合されたメモリと
を備える装置。
【請求項１５】
前記1つまたは複数のプロセッサが、前記1つまたは複数の画像を処理すること、および、前記投影ターゲットまでの距離と、前記投影ターゲットの形状と、前記投影ターゲットのアウトラインとを決定することによって、前記1つまたは複数の投影パラメータを決定するように構成される、請求項14に記載の装置。
【請求項１６】
前記空きエリアが、前記コンテンツエリアの決定されたアウトラインの外側に投影された暗いピクセルを備える、請求項14に記載の装置。
【請求項１７】
前記カメラが、デジタルライトプロセッシング(DLP)プロジェクタ、レーザービームステアリング(LBS)プロジェクタ、リキッドクリスタルオンシリコン(LCoS)プロジェクタのうちの少なくとも1つを備える、請求項14に記載の装置。
【請求項１８】
前記カメラが、ユーザによって行われたジェスチャをキャプチャするようにさらに構成される、請求項14に記載の装置。
【請求項１９】
前記ジェスチャが、プライベートモードとパブリックモードとの間で切り替えるためのジェスチャを含む、請求項18に記載の装置。
【請求項２０】
投影ターゲットを、前記ターゲットに関連付けられた情報に基づいて、1つまたは複数のフレーム内のオブジェクトを認識するためのオブジェクト認識を使用することによって決定するための手段と、
前記投影ターゲットの1つまたは複数の範囲を決定するための手段と、
前記決定された1つまたは複数の範囲に基づいて、コンテンツが投影されることになるコンテンツエリアと、コンテンツが投影されないことになる空きエリアとを決定するための手段であって、前記コンテンツエリアはさらに、前記オブジェクトに関連付けられた指定コンテンツエリアに基づいて決定される、手段と、
スケーリングファクタを決定するための手段と、
前記スケーリングファクタに基づいて、前記コンテンツエリア内に投影するためのコンテンツを生成するための手段と、
前記空きエリアを生成するための手段と
を備えるシステム。
【請求項２１】
前記投影ターゲットの1つまたは複数の範囲を決定するための前記手段が、
前記投影ターゲットの1つまたは複数の画像を受信するための手段と、
前記1つまたは複数の画像から、前記投影ターゲットの形状を決定するための手段と
を備える、請求項20に記載のシステム。
【請求項２２】
前記1つまたは複数の画像に基づいて、前記投影ターゲットを含むエリアの深度マップを決定するための手段をさらに備える、請求項21に記載のシステム。
【請求項２３】
前記決定されたコンテンツエリア内で前記投影ターゲット上で前記生成されたコンテンツを投影するための手段をさらに備える、請求項20に記載のシステム。
【請求項２４】
前記生成された空きエリアを投影するための手段をさらに備える、請求項20に記載のシステム。
【請求項２５】
前記投影ターゲットを追跡するための手段と、
前記追跡に基づいて、前記決定されたコンテンツエリアと前記決定された空きエリアとを調整するための手段と
をさらに備える、請求項20に記載のシステム。
【請求項２６】
ジェスチャを検出するための手段と、
前記検出されたジェスチャに基づいて、前記空きエリアがエリアを有していないと決定するための手段と
をさらに備える、請求項20に記載のシステム。
【請求項２７】
ジェスチャを検出するための手段と、
前記検出されたジェスチャに基づいて、第2の投影ターゲットを決定するための手段と、
前記第2の投影ターゲットの1つまたは複数の範囲を決定するための手段と、
前記第2の投影ターゲットの前記決定された1つまたは複数の範囲に基づいて、第2のコンテンツエリアと第2の空きエリアとを決定するための手段と、
前記第2の投影ターゲットまでの距離に基づいて、第2のスケーリングファクタを決定するための手段と、
投影デバイスによって、前記決定されたコンテンツエリア内で前記第2の投影ターゲット上にコンテンツを投影するための手段と
をさらに備える、請求項20に記載のシステム。
【請求項２８】
1つまたは複数のプロセッサによって実行されると、前記1つまたは複数のプロセッサを含むシステムに、
投影ターゲットを、前記ターゲットに関連付けられた情報に基づいて、1つまたは複数のフレーム内のオブジェクトを認識するためのオブジェクト認識を使用することによって決定するステップであって、前記コンテンツエリアはさらに、前記オブジェクトに関連付けられた指定コンテンツエリアに基づいて決定される、ステップと、
前記投影ターゲットの1つまたは複数の範囲を決定するステップと、
1つまたは複数のプロセッサによって、前記決定された1つまたは複数の範囲に基づいて、コンテンツが投影されることになる前記コンテンツエリアと、コンテンツが投影されないことになる空きエリアとを決定するステップと、
前記1つまたは複数のプロセッサによって、スケーリングファクタを決定するステップと、
前記スケーリングファクタに基づいて、前記コンテンツエリア内に投影するためのコンテンツを生成するステップと、
前記空きエリアを生成するステップと
を含む方法を実行させる命令を含む、非一時的コンピュータ可読記憶媒体。
【請求項２９】
前記ターゲットに関連付けられた前記情報が、ユーザによって提供された情報、コンテンツプロバイダによって提供された情報、小売業者によって提供された情報、または製造業者によって提供された情報のうちの少なくとも1つを備える、請求項1に記載の方法。
【請求項３０】
前記ターゲットに関連付けられた前記情報が、ユーザによって提供された情報、コンテンツプロバイダによって提供された情報、小売業者によって提供された情報、または製造業者によって提供された情報のうちの少なくとも1つを備える、請求項14に記載の装置。
【請求項３１】
前記ターゲットに関連付けられた前記情報が、ユーザによって提供された情報、コンテンツプロバイダによって提供された情報、小売業者によって提供された情報、または製造業者によって提供された情報のうちの少なくとも1つを備える、請求項20に記載のシステム。
【請求項３２】
前記ターゲットに関連付けられた前記情報が、ユーザによって提供された情報、コンテンツプロバイダによって提供された情報、小売業者によって提供された情報、または製造業者によって提供された情報のうちの少なくとも1つを備える、請求項28に記載の非一時的コンピュータ可読記憶媒体。